(57)【要約】【課題】吹出気流による空気清浄機近傍での花粉やハウスダストの巻上げを抑制し、効率よく花粉やハウスダストを捕集することが可能な空気清浄機を提供することを目的とする。【解決手段】空気を取り入れる吸込口１３と、空気を吹出す第一吹出口１４と第二吹出口１５とを設けた本体１２と、第一吹出口１４と第二吹出口１５は本体１２上部に間隙を置いて備え、第一吹出口１４および第二吹出口１５の方向を変える可動機構と、本体１２の表面に本体１２の周囲の環境を認識する環境認識手段を備え、第一吹出口１４と第二吹出口１５から吹出す空気の主流は、吹出仰角１９は水平より仰角にして、本体１２から離れるに従い水平方向に離れる方位角１８をもち、第一吹出口１４および第二吹出口１５は可動機構によって吹出方向の吹出仰角１９および方位角１８を変更できる構成にした加湿機能付空気清浄機を提供する。【選択図】図１
2017062092.tif 000002
【特許請求の範囲】
【請求項１】
空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータと、前記第一吹出口および前記第二吹出口の方向を変える可動機構と、
前記本体の外側に前記本体の周囲の環境を認識する環境認識手段と、前記本体の内部に前記環境認識手段から信号を受信し前記可動機構を制御する制御部を備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に離れる方位角をもち、前記可動機構によって吹出方向の仰角および方位角を変更できることを特徴とする空気清浄装置。
【請求項２】
前記環境認識手段が花粉検知手段と人検知手段であって、前記花粉検知手段と人検知手段の検知信号によって気流の吹出方向を切替可能であり、花粉除去モードにした時は、所定時間が経過するまでは、前記花粉検知手段の検知信号のみを受信し吹出仰角６０度以上８０度以下の範囲で稼働し、所定時間経過後に、前記人検知手段の検知信号の有無に応じた吹出方向で稼働することを特徴とする請求項１に記載の空気清浄装置。
【請求項３】
前記環境検知手段が花粉検知手段と人検知手段であって、前記花粉検知手段と人検知手段の検知信号によって気流の吹出方向を切替可能であり、未検知時および前記花粉検知手段のみ反応した時は、吹出角度が仰角６０度以上８０度以下の範囲で稼働し、前記花粉検知手段と前記人検知手段との両方が反応した時は、吹出角度が仰角１０度以上５０度以下の範囲と仰角６０度以上８０度以下の範囲で所定時間間隔ごとに交互に稼働することを特徴とする請求項１または２に記載の空気清浄装置。
【請求項４】
前記環境検知手段が前記空気清浄装置の正面方向に位置する壁までの距離を認識する距離認識手段であって、正面方向の距離に合わせて気流の吹出方向を切替可能であり、正面方向の距離が狭くなるに応じて、吹出方向の仰角が大きくなることを特徴とする請求項１から３のいずれかに記載の空気清浄装置。
【請求項５】
前記距離認識手段が、使用者が前記空気清浄装置の正面方向に位置する壁までの距離を選択するために本体に設けられた切替スイッチであって、選択された正面方向の距離に応じてあらかじめ設定されていた吹出方向の仰角で稼働することを特徴とする請求項４に記載の空気清浄装置。
【請求項６】
前記距離認識手段が、本体の上部に設けられた距離測定センサーであって、前記空気清浄装置の正面方向に位置する壁までの距離を測定し、距離に応じて吹出角度を切り替えることが可能であることを特徴とする請求項４に記載の空気清浄装置。
【発明の詳細な説明】
【技術分野】
【０００１】
本発明は、室内空気の空気清浄を行う空気清浄装置及び加湿を機能を付加した加湿機能付空気清浄機に関するものである。
【背景技術】
【０００２】
従来から、吹出口から吹出す気流により、室内の空気を循環させ、花粉やハウスダストなどの粉塵を除去する空気清浄機が知られていた（例えば特許文献１参照）。
【０００３】
以下、その空気清浄機について図５を参照しながら説明する。
【０００４】
図７は、空気清浄機１０１の断面図を示している。空気清浄機１０１は、吸込口１０２及び第一吹出口１０３、第二吹出口１０４を有するハウジング１０５と、前記ハウジング１０５内に収容されている送風機１０６と、前記送風機１０６によって前記吸込口１０２から吸い込まれた空気を集塵フィルタ１０７、脱臭フィルタ１０８を通過し、前記第一吹出口１０３、または第一吹出口１０３および第二吹出口１０４へ通流させるために前記ハウジング内に形成された通風路１０９とを備え、前記送風機１０６と第一吹出口１０３、第二吹出口１０４との間に、風向制御装置１１０を備える。風向制御装置１１０は、円筒状をなすケーシング１１１に、円筒状をなす風向制御体１１２を遊嵌してなる。風向制御体１１２は、ケーシング１１１内を回転駆動され、回転駆動により前記送風機１０６からの空気を前記第一吹出口１０３、または第一吹出口１０３および第二吹出口１０４に切り替えるものである。
【０００５】
このような構成によれば、ケーシング１１１内の風向制御体１１２により、簡単及びコンパクトな構造で、集中気流と拡散気流とを容易に切り換えることができ、送出される気流の風速を速くしたり、遅くしたりすることができ、気流を遠くまで届かせたり、送風装置の近傍に拡散させたりすることができるとしている。
【先行技術文献】
【特許文献】
【０００６】
【特許文献１】特開２０１４−２０６５２号公報
【発明の概要】
【発明が解決しようとする課題】
【０００７】
このような従来の空気清浄装置においては、第一吹出口１０３または第二吹出口１０４から吹出される気流は空気清浄機１０１の幅方向には一つにまとまっており、吹出す気流に誘引されて、空気清浄機１０１前方には吹出し方向に気流が発生することとなる。このため、吸込口１０２に集まってくる花粉やハウスダストを吹出し方向の気流が誘引して巻き上げてしまい、花粉やハウスダストを効率よく吸込口１０２で吸込むことができにくいという課題があった。
【０００８】
そこで本発明は、前記課題を解決するものであって、花粉やハウスダストの吸込口での捕集効率を向上させることができる空気清浄機及び加湿機能付空気清浄機を提供することを目的とする。
【課題を解決するための手段】
【０００９】
上述の目的を達成するために、本発明に係る空気清浄装置は、空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータと、前記第一吹出口および前記第二吹出口の方向を変える可動機構と、前記本体の外側に前記本体の周囲の環境を認識する環境認識手段と、前記本体の内部に前記環境認識手段から信号を受信し前記可動機構を制御する制御部を備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に離れる方位角をもち、前記可動機構によって吹出方向の仰角および方位角を変更できることしたものであり、これにより所期の目的を達成するものである。
【発明の効果】
【００１０】
本発明によれば、空気の吸込みにより本体近傍に集まってくる花粉やハウスダストを主流により巻き上げることがなく、花粉やハウスダストを効率よく吸込口で吸込むことができ、花粉やハウスダストの捕集効率を高めるという効果を得ることができる。
【図面の簡単な説明】
【００１１】
【図１】本発明の実施の形態１に係る加湿機能付空気清浄機の正面から見た斜視図
【図２】本発明の実施の形態１に係る加湿機能付空気清浄機の正面から見た断面を示す構成図
【図３】本発明の実施の形態１に係る加湿機能付空気清浄機の側断面を示す構成図
【図４】本発明の実施の形態１に係る加湿機能付空気清浄機の可動機構を示す図（（ａ）図１における面Ａでの下方から見た断面図、（ｂ）図４（ａ）におけるＢ―Ｂ‘断面での側断面図）
【図５】本発明の実施の形態１に係る加湿機能付空気清浄機の使用状態を示した斜視図
【図６】本発明の実施の形態１に係る加湿機能付空気清浄機の花粉除去モードを示すフローチャート
【図７】本発明の実施の形態１に係る加湿機能付空気清浄機の花粉除去モードを示すフローチャート
【図８】本発明の実施の形態２に係る加湿機能付空気清浄機の花粉除去モードを示すフローチャート
【図９】本発明の実施の形態３に係る加湿機能付空気清浄機の花粉除去モードを示すフローチャート
【図１０】従来技術を示す断面を示す構成図
【発明を実施するための形態】
【００１２】
本発明の請求項１に係る空気清浄装置は、空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータと、前記第一吹出口および前記第二吹出口の方向を変える可動機構と、前記本体の外側に前記本体の周囲の環境を認識する環境認識手段と、前記本体の内部に前記環境認識手段から信号を受信し前記可動機構を制御する制御部を備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に離れる方位角をもち、前記可動機構によって吹出方向の仰角および方位角を変更できる構成を有する。
【００１３】
これにより、部屋の間取りや花粉やハウスダストの浮遊状況、人の位置など周囲の状況に応じて吹出方向を切り替えながら、第一吹出口から吹出す主流と第二吹出口から吹出す主流を二方面に分けて放出することで、２つの主流に挟まれた中央部には主流の無い領域が広がるので、空気の吸込みにより本体近傍に集まってくる花粉やハウスダストを主流が誘引して巻き上げるといった吸込口での吸込みを阻害しない最適な気流を周囲の状況に応じて形成でき、花粉やハウスダストを効率よく吸込み捕集効率を高めるという効果を奏する。また、主流により花粉やハウスダストを巻き上げることが無いため、空間中の花粉やハウスダストの濃度を素早く減少させるという効果を奏する。
【００１４】
また、本発明の請求項２に係る空気清浄装置は、前記環境認識手段が花粉検知手段と人検知手段であって、前記花粉検知手段と人検知手段の検知信号によって気流の吹出方向を切替可能であって、花粉除去モードにした時は、所定時間が経過するまでは、前記花粉検知手段の検知信号のみを受信し吹出仰角１９を６０度以上８０度以下の範囲で稼働し、所定時間経過後に、前記人検知手段の検知信号の有無に応じた吹出方向で稼働する構成にしてもよい。
【００１５】
これにより、花粉除去モード設定後、所定時間経過までは、室内に人の有無に関わらず、吹出方向の仰角を大きくすることで、空気清浄装置周囲の吸気比率の高い気流を形成し、人検知手段の検知信号が無い時は、引き続き吹出仰角１９を６０度以上８０度以下の範囲で稼働し、人検知手段の検知信号が有る時は、吹出仰角１９を１０度以上５０度以下の範囲で稼働し吹出方向の仰角を小さくし、低域空間の吸気比率を高くするので、花粉除去モード設定後、所定時間経過までは、吹出主流と吸込口の距離が離れることで確実に主流による誘引・巻き上げを抑制し、空気清浄装置周囲を中心に効率よく花粉吸込み、所定時間経過後に、人検知手段の検知信号が有る時は、人の活動によって床に落下した花粉が再度低域空間に再飛散した花粉やハウスダストを、主流による誘引・巻き上げを抑制しながらも早く効率よく吸引するという効果を奏する。
【００１６】
また、本発明の請求項３に係る空気清浄装置は、前記環境認識手段が花粉検知手段と人検知手段であって、前記花粉検知手段と人検知手段の検知信号によって気流の吹出方向を切替可能であって、未検知時および前記花粉検知手段のみ反応した時は、吹出仰角１９を６０度以上８０度以下の範囲で稼働し、前記花粉検知手段と前記人検知手段との両方が反応した時は、吹出仰角１９を１０度以上５０度以下の範囲と６０度以上８０度以下の範囲で所定時間間隔ごとに交互に稼働する構成にしてもよい。
【００１７】
これにより、未検知時および花粉検知手段のみが反応した時は、吹出方向の仰角を大きくし、空気清浄装置周囲の吸気比率の高い気流を形成し、花粉検知手段と人検知手段の両方の検知信号が有るときは、吹出仰角１９が１０度以上５０度以下の範囲の低域空間の吸気比率を高める気流と、吹出仰角１９が６０度以上８０度以下の範囲の空気清浄装置周囲の吸気比率の高い気流を交互に出すので、未検知時および前記花粉検知手段のみが反応した時は、より確実に主流による誘引・巻き上げを抑制し、効率よく吸込むことができ、前記花粉検知手段と前記人検知手段の両方が反応したときは、人検知手段の検知信号が有る時は、低域空間の吸気比率を高める気流で人の活動によって床に落下した花粉が再度低域空間に再飛散した花粉やハウスダストを、主流による誘引・巻き上げを抑制しながらも早く効率よく空気清浄装置に吸い寄せ、空気清浄装置周囲の吸気比率の高い気流で引き寄せた花粉をより確実に吸込むという効果を奏する。
【００１８】
また、本発明の請求項４に係る空気清浄装置は、前記環境認識手段が前記空気清浄装置の正面方向に位置する壁までの距離を認識する距離認識手段を備え、正面方向の距離に合わせて気流の吹出方向を切替可能であって、正面方向の距離が狭くなるに応じて吹出方向の仰角が大きくなる構成にしてもよい。
【００１９】
これにより、空気清浄装置の正面方向の距離が狭くなっても、仰角が大きくなることで正面の壁に主流が直接衝突し拡散することがなくなり、吹出口からの主流が天井近傍、正面の壁近傍、床面近傍の順に室内を循環する最適な気流が形成されるので、空気清浄装置を設置する部屋や置き方が変わっても、主流による花粉やハウスダストの誘引・巻き上げを抑制した循環気流を形成し、捕集効率を高めることができるという効果を奏する。また、主流により花粉やハウスダストを巻き上げることが無いため、空間中の花粉やハウスダストの濃度を素早く減少させることができるという効果を奏する。
【００２０】
また、本発明の請求項５に係る距離認識手段は、前記距離認識手段が、使用者が前記空気清浄装置の正面方向に位置する壁までの距離を選択するために本体に設けられた切替スイッチであって、選択された正面方向の距離に応じてあらかじめ設定されていた吹出方向の仰角で稼働する構成にしてもよい。
【００２１】
これにより、使用者が空気清浄装置を設置する部屋や置き方を変えても、切替スイッチで設定を変更することで、空気清浄装置の正面の距離に応じた最適な気流が形成されるので、スイッチ操作だけで、空気清浄装置の設置場所に応じて、主流による花粉やハウスダストの誘引・巻き上げを抑制した循環気流を形成し、捕集効率を高めることができるという効果を奏する。また、主流により花粉やハウスダストを巻き上げることが無いため、空間中の花粉やハウスダストの濃度を素早く減少させることができるという効果を奏する。
【００２２】
また、本発明の請求項６に係る距離認識手段は、本体の上部に設けられた距離測定センサーであって、前記空気清浄装置の正面方向に位置する壁までの距離を測定し、距離に応じて吹出方向を切り替えることが可能な構成にしてもよい。
【００２３】
これにより、使用者が空気清浄装置を設置する部屋や置き方を変えても、吹出方向の設定が変更されることで、空気清浄装置の正面の距離に応じた最適な気流が形成されるので、特別な操作は必要なく、空気清浄装置の設置場所に応じて、主流による花粉やハウスダストの誘引・巻き上げを抑制した循環気流を形成し、捕集効率を高めることができるという効果を奏する。また、主流により花粉やハウスダストを巻き上げることが無いため、空間中の花粉やハウスダストの濃度を素早く減少させることができるという効果を奏する。
【００２４】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して、二度目以降の説明は省略する。以下の実施の形態では、空気清浄装置として加湿機能付空気清浄機を一例にして説明をする。
【００２５】
（実施の形態１）
以下、本発明の実施の形態１に係る加湿機能付空気清浄機について図１、図２、図３、図４、図５、図６、図７を用いて説明する。
図１は、本発明の実施の形態１に係る加湿機能付空気清浄機の斜視図、図２は断面を示す構成図の正面図、図３は断面を示す構成図の側面図である。
【００２６】
図１、図２、図３に示すように加湿機能付空気清浄機１１は、本体１２の正面側には、空気を取り入れる吸込口１３を備え、本体１２の上部には、空気を吹出す二つの吹き出し口、第一吹出口１４と第二吹出口１５を備えている。すなわち、第一吹出口１４と第二吹出口１５は、吸込口１３よりも本体１２の上方で空気を吹出すものである。吸込口１３は、本実施の形態では図１に示すように本体正面側の側面および図３に示すように本体正面側の底部に備えている。
【００２７】
また、図２に示すように、第一吹出口１４と第二吹出口１５は、所定の間隔として吹出口間隔１６を置いて備えている。吹出口間隔１６としては、図１に示す第一吹出口１４の吹出口幅１７の１０分の１から同幅程度が好ましく、本実施の形態では吹出口幅１７と同程度としている。
【００２８】
図１に示すように、第一吹出口１４と第二吹出口１５は水平方向に方位角１８で向けられている。また、図３に示すように、第一吹出口１４と第二吹出口１５は水平方向に対して吹出仰角１９を有している。すなわち、第一吹出口１４と第二吹出口１５から吹出す空気それぞれの主流である第一主流２０と第二主流２１は、立面視で水平より仰角すなわち吹出仰角１９（本実施の形態では３０度）で、本体１２から離れるに従い平面視において方位角１８（本実施の形態では９０度）で広がるものである。なお、吹出仰角１９としては１０度から８０度、方位角１８としては３０度から１５０度が好ましい。
【００２９】
また、図３に示すように、本体１２内には、吸込口１３と第一吹出口１４と第二吹出口１５を連通する風路２２と、両軸を有したモータ２３を備えている。風路２２には、空気浄化手段としての脱臭フィルタ２４と集塵フィルタ２５と気化フィルタ２６、および空気流を発生するための対称な形の二つの羽根車２７を備えている。二つの羽根車２７は、モータ２３の両軸のそれぞれ軸支されている。
【００３０】
また、図４に示すように、加湿機能付空気清浄機１１は可動機構として吹出口可動部２８を備えており、吹出口可動部２８は、吹出口回転台３０と、ルーバー２９と、ステッピングモーターＡ３１と、ステッピングモーターＢ３２とから構成されている。ルーバー２９とステッピングモーターＢ３２は吹出口回転台３０に取り付けられている。ステッピングモーターＡ３１は、本体１２に取り付けられており、回転することで吹出口回転台３０を水平面内で回転させることができるものである。その時、ルーバー２９も吹出口回転台３０と一緒に回転するため、方位角１８を変更することができる。
【００３１】
また、ステッピングモーターＢ３２は回転することで、ルーバー２９の開き方を変更することがきるので、吹出仰角１９を変更することができる。このような構成において、吹出仰角１９および方位角１８を任意に変更することが可能になっている。
【００３２】
また、図１に示すように、本体１２の下部側面に環境認識手段の一例として、花粉検知手段と、人検知手段と、距離測定手段を備えている。
【００３３】
すなわち、花粉検知手段として花粉センサー３５と、本体１２の上部の前面側に人検知手段としてモーションセンサー３６と、本体上部正面に加湿機能付空気清浄機１１の正面方向に位置する壁である正面の壁３７までの距離測定手段として距離測定センサー３８とを有し、本体１２内部に各センサーからの信号を受信し、ステッピングモーターＡ３１とステッピングモーターＢ３２とを制御する制御部（図示しない）を備えている。制御部は、図６、図７に示す花粉除去モードのアルゴリズムが内蔵されている。花粉除去モードは、室内の花粉を効果的に除去する気流を作るモードである。
【００３４】
上記構成において、電源（図示しない）を入れることによりモータ２３が駆動され、二つの羽根車２７が回転することで風路２２に空気流が発生する。二つの羽根車２７で生じる空気流はそれぞれ第一吹出口１４と第二吹出口１５から吹出す構成になっている。
【００３５】
加湿機能付空気清浄機１１の外部の汚れた空気は吸込口１３から吸込まれる。集塵フィルタ２５では粉塵を取り除き、脱臭フィルタ２４では臭いを取り除き、吸込まれた空気は浄化され、一部の空気が湿潤された気化フィルタ２６を通過することで湿潤され、第一吹出口１４と第二吹出口１５から吹出されることで、加湿を行うことができる。
【００３６】
また、上述のように吹出仰角１９および方位角１８は、吹出仰角１９としては１０度から８０度、方位角１８としては３０度から１５０度の範囲において、任意に変更することが可能になっている。このような動作のなかで、第一吹出口１４と第二吹出口１５は水平方向に方位角１８で向けられているので、図５に示すように本体１２の空気を吹出す方向では、第一吹出口１４から吹出す第一主流２０と第二吹出口１５から吹出す第二主流２１が二方面に分かれて、さらに吹出仰角１９で放出される。
【００３７】
そして、第一主流２０と第二主流２１に挟まれた中央部に主流の存在しない主流間領域３３を形成し、吹出し方向に本体から遠ざかるにしたがって主流間領域３３を広げることができるので、空気の吸込みにより本体１２近傍に集まってくる花粉やハウスダストを主流が誘引して巻き上げることがなく、花粉やハウスダストを効率よく吸込口１３で吸込むことができ、花粉やハウスダストの捕集効率を高めることができる。また、主流により花粉やハウスダストを巻き上げることが無いため、空間中の花粉やハウスダストの濃度を素早く減少させることができる。
【００３８】
本実施の形態では室内での加湿機能付空気清浄機１１の使用を示しており、天井３４がある場合、図５に示すように第一吹出口１４から吹出す第一主流２０と第二吹出口１５から吹出す第二主流２１は本体１２から離れるに従い広がり、天井３４に衝突することでさらに拡散し、本体１２から一定距離離れた地点で合流する形となっている。主流による花粉などの巻上げは本体１２近傍で主として発生するため、このように本体１２から一定距離離れた地点で主流を合流させれば、花粉などの巻上げることを回避することができる。つまり、花粉やハウスダストの吸込口での捕集効率を向上させることができる。なお、本実施の形態では、１８畳空間（８．２ｍ×３．６ｍ×高さ２．５ｍ）での使用したときを示している。
【００３９】
使用者は、窓を開けた時や、屋外から室内に戻って来た時など室内に花粉が多いと認識したときに、花粉を吸引するのに適した気流を作る花粉除去モードを選択すると、図６に示すように、吹出仰角１９を７０度で稼働し、花粉センサー３５の検知信号の有無を確認する。花粉センサー３５の検知信号が無い場合は、継続して吹出仰角１９を７０度で稼働し、花粉センサー３５の検知信号が有る場合は、モーションセンサー３６の検知信号の有無を確認する。モーションセンサー３６の検知信号がない場合は、継続して吹出仰角１９を７０度で稼働する。モーションセンサー３６の検知信号がある場合は、吹出仰角１９を３０度で稼動する。
【００４０】
このアルゴリズムにおいて、花粉センサー３５の検知信号が無い場合、または、花粉センサー３５の検知信号が有る場合で、かつモーションセンサー３６の検知信号がない場合は、空間中に浮遊している花粉や、その他のハウスダストなどを重点的に捕集するために、吹出仰角１９が７０度で稼働する。吹出仰角１９が７０度にすることによって、第一主流２０、第二主流２１は吸込口１３との距離を離すことができ、より確実に主流による誘引・巻き上げを抑制することできる。その作用によって加湿機能付空気清浄機１１周囲を中心に効率よく花粉吸込むことができる。
【００４１】
花粉センサー３５の検知信号がある場合に続いて、モーションセンサー３６の検知信号がある場合は、吹出仰角１９を３０度で稼動させ、低域空間の吸気比率を高める気流を作る。これは、室内に人などの動くものがある場合は、床に落下した花粉が人などの活動によって室内の低域空間に再飛散するためである。再飛散によって舞い上がる高さは、３０ｃｍ程度が多く、高いもので１ｍ程度であり、ここでは低域空間とは、床面から１ｍ程度までの空間のことである。低域空間の吸気比率を高めることによって、再飛散した花粉やハウスダストを、主流による誘引・巻き上げを抑制しながらも早く効率よく加湿機能付空気清浄機１１に吸い寄せ、吸引することができる。
【００４２】
また、花粉除去モード時の吹出仰角１９が７０度での稼動において、花粉センサー３５の検知信号がない場合、図７に示すアルゴリズムで稼動してもよい。
【００４３】
花粉センサー３５の検知信号がない場合、モーションセンサー３６の検知信号を確認する。モーションセンサー３６の信号がない場合は、継続して吹出仰角１９を７０度で稼動する。モーションセンサー３６の信号がある場合は、人の活動による再飛散を想定し、吹出仰角を３０度にして、低域空間の吸気比率を高める。その後、再度、花粉センサー３５の信号を確認する。花粉センサー３５の検知信号がない場合は、吹出仰角を７０度に戻し稼動する。花粉センサー３５の検知信号がある場合は、モーションセンサー３６の検知信号を受信してから、２度目の花粉センサー３５の検知信号を確認・受信するまでの所定時間Ｔ１によって、吹出仰角１９を変更する。本実施の形態では、時間差Ｔ１が０秒から１５秒までの場合、加湿機能付空気清浄機１１の近傍に人などの動くものがあるので、吹出仰角を７０度として、加湿機能付空気清浄機１１周囲の吸気比率の高い気流を作る。１５秒よりも大きい場合は、加湿機能付空気清浄機１１の遠方に人などの動くものがあるので、気流が遠くまで届くように吹出仰角１９を小さくする。
【００４４】
なお、時間差Ｔ１は、加湿機能付空気清浄機１１の気流の流速と使用される部屋の広さによって決定されるものである。
【００４５】
また、本実施の形態の加湿機能付空気清浄機１１は、距離測定センサー３８によって、正面の壁３７までの距離を自動で測定し、制御部が距離測定センサー３８からの信号を受信し、信号に応じてステッピングモーターＡ３１と、ステッピングモーターＢ３２を制御することで距離に応じた吹出方向に切り替えることができる。
【００４６】
適切な吹出仰角１９である場合、上述した図５に示すような気流となる。しかし、吹出仰角１９が適切な角度よりも小さい場合、第一主流２０、第二主流２１が天井３４にあたらず、直接、正面の壁３７に当たり四方に拡散し、花粉を加湿機能付空気清浄機１１に引き寄せる気流が弱くなる。そのため、正面の壁３７までの距離が近い場合は、直接、正面の壁３７にあたらないようにするために、吹出仰角１９を大きくし、距離が遠い場合は吹出仰角１９を小さくするようにしている。これは、本実施の形態では、加湿機能付空気清浄機１１の正面の壁３７までの距離が８．２ｍで、吹出仰角１９を３０度としているが、正面の壁３７までの距離が６ｍの場合は、例えば、３５度から４０度程度とすることを示している。これらの吹出仰角１９は、吹出口と天井３４の距離などから決定されるものである。
【００４７】
なお、本実施の形態では、距離認識手段として距離測定センサー３８を用いているが、本体に距離の切替スイッチを備え、使用者が自分で設定するようにしてもよい。
【００４８】
また、切替スイッチは、正面の壁３７までの距離だけでなく、横方向の壁３９、天井３４までの高さなどを選択できるようにしてもよく、それに合わせて、吹出仰角１９と方位角１８も変更できるようにしてもよい。
【００４９】
（実施の形態２）
本発明の実施の形態２に係る加湿機能付空気清浄機について、実施の形態１と異なる点のみを説明する。図１から図４に示す構成は、実施の形態１と同じである。図８に本実施の形態２に係る加湿機能付空気清浄機の制御部に内蔵されているアルゴリズムを示す。
【００５０】
実施の形態１と異なる点は、花粉検知手段の検知信号がある場合には、所定時間Ｔ２後に人検知手段の検知がされる点である。
【００５１】
使用者が、花粉除去モードを選択すると、図８に示すアルゴリズムに従って稼働する。所定時間Ｔ１が経過するまでは、花粉センサー３５の検知信号のみを受信し吹出仰角１９を７０度で稼働する。所定時間Ｔ２経過後に、モーションセンサー３６の検知信号がない時は、継続して吹出仰角１９を７０度で稼働する。所定時間Ｔ２経過後にモーションセンサー３６の検知信号がある時は、吹出仰角１９を３０度で稼動する。
【００５２】
このアルゴリズムにおいて、花粉センサー３５の検知信号が無い場合、または、花粉センサー３５の検知信号が有る場合で、かつモーションセンサー３６の検知信号がない場合は、空間中に浮遊している花粉や、その他のハウスダストなどを重点的に捕集するために、吹出仰角１９を７０度で稼働する。吹出仰角１９を７０度にすることによって、第一主流２０、第二主流２１は吸込口１３との距離を離すことができ、より確実に主流による誘引・巻き上げを抑制することできる。その作用によって加湿機能付空気清浄機１１周囲を中心に効率よく花粉吸込むことができる。所定時間Ｔ２の間に、吸引できずに室内に残った花粉は床に落下する。
【００５３】
所定時間Ｔ２後に、室内に人などの動くものがなくモーションセンサー３６の検知信号がない場合、一度床に落下した花粉が再度舞い上がることがないので、吹出仰角１９を７０度で稼働する。また、所定時間Ｔ２後に、モーションセンサー３６の検知信号がある場合は、吹出仰角１９を３０度で稼動させ、低域空間の吸気比率を高める気流を作る。これは、室内に人などの動くものがある場合は、床に落下した花粉が人などの活動によって室内の低域空間に再飛散するためである。
【００５４】
なお、所定時間Ｔ２（本実施の形態では１８０秒）は、気流など無い室内で花粉が天井３４から床まで自然落下するまでの時間を目安として決めるもので、１２０秒以上１８０秒以下が好ましい。これ以上、所定時間Ｔ２を長くしても、花粉は床に落下しているため室内空間に浮遊している花粉は少なく吸引率が低下する。そのため、人が室内にいる時は、吹出仰角１９を小さくして、低域空間の吸気比率を高める気流で、人の活動によって床に落下した花粉が再度低域空間に再飛散した花粉やハウスダストを引き寄せ吸引する方が効果的に花粉を除去できるためである。
【００５５】
所定時間Ｔ２は、加湿機能付空気清浄機１１から吹出される気流の流速と使用される部屋の広さによって決定されるものである。
【００５６】
（実施の形態３）
本発明の実施の形態３に係る加湿機能付空気清浄機について、実施の形態１と異なる点のみを説明する。図１から図４に示す構成は、実施の形態１と同じである。図９は、本実施の形態３に係る加湿機能付空気清浄機の制御部に内蔵されているアルゴリズムである。
【００５７】
実施の形態１と異なる点は、人検知手段の検知信号がある場合の制御方法である。また、
使用者が、花粉除去モードを選択すると、図９に示すアルゴリズムに従って稼働する。
【００５８】
花粉検知後に、モーションセンサー３６の検知信号が無い場合は、継続して吹出仰角１９を７０度以下の範囲で稼働する。
【００５９】
花粉検知後にモーションセンサー３６の検知信号が有る場合は、吹出仰角１９を３０度で所定時間Ｔ３稼動後、吹出仰角１９を７０度で所定時間Ｔ３稼動する。その後、再度、モーションセンサー３６の検知信号を確認し、人の有無に応じて吹出仰角１９を変更する。
【００６０】
このアルゴリズムにおいて、花粉検知後に、モーションセンサー３６の検知信号がある場合は、吹出仰角１９を３０度で所定時間Ｔ３稼動させ、低域空間の吸気比率を高める気流を作る。低域空間の吸気比率を高めることによって、再飛散した花粉やハウスダストを、主流による誘引・巻き上げを抑制しながらも早く効率よく加湿機能付空気清浄機１１に吸い寄せ、吸引することができる。
【００６１】
吹出仰角１９を３０度に稼動することによって、本体１２から遠方で再飛散した花粉やハウスダストを寄せてくることができる。しかし、寄せてきた全てを吸引することはできず、途中で落下するものもある。そこで、所定時間Ｔ３が経過した後、吹出仰角１９を７０度で所定時間Ｔ４稼動させ、加湿機能付空気清浄機１１周囲の吸気比率の高い気流を作る。これにより、低域空間から加湿機能付空気清浄機１１に引き寄せてきた花粉をより確実に吸込むことができる。
【００６２】
なお、所定時間Ｔ３（本実施の形態では９０秒）は、６０秒から１２０秒が好ましい。所定時間Ｔ３は、本実施の形態の１８畳の室内空間を加湿機能付空気清浄機１１の吹出気流が巡回する時間を目安として決めるものである。
【００６３】
また、所定時間Ｔ４（本実施の形態では９０秒）は、６０秒から１２０秒が好ましい。これは所定時間Ｔ２と同様の理由で決められるものであるが、人の活動による再飛散の高さは１ｍ以下の低域空間が多く、再飛散した花粉が床面に落下するまでの時間は所定時間Ｔ２よりも短いためである。
【００６４】
これら所定時間Ｔ３および所定時間Ｔ４は、加湿機能付空気清浄機１１から吹出される気流の流速と使用される部屋の広さによって決定されるものである。
【００６５】
なお、本実施の形態では、人検知手段としてモーションセンサー３６を用いているが、赤外線センサーなど、人の有無、物体の動きなどを検知できるものであればよい。
【００６６】
なお、実施の形態２と実施の形態３のアルゴリズムの両方を組み合わせて用いてもよく、さらに効率的な花粉除去を行うことができる。
【産業上の利用可能性】
【００６７】
室内空気中の花粉やハウスダストなどを除去する空気清浄装置、及び加湿機能を付加した加湿機能付空気清浄機として有用である。
【符号の説明】
【００６８】
１１  加湿機能付空気清浄機
１２  本体
１３  吸込口
１４  第一吹出口
１５  第二吹出口
１６  吹出口間隔
１７  吹出口幅
１８  方位角
１９  吹出仰角
２０  第一主流
２１  第二主流
２２  風路
２３  モータ
２４  脱臭フィルタ
２５  集塵フィルタ
２６  気化フィルタ
２７  二つの羽根車
２８  吹出口可動部
２９  ルーバー
３０  吹出口回転台
３１  ステッピングモーターＡ
３２  ステッピングモーターＢ
３３  主流間領域
３４  天井
３５  花粉センサー
３６  モーションセンサー
３７  正面の壁
３８  距離測定センサー
３９  横方向の壁
１０１  空気清浄機
１０２  吸込口
１０３  第一吹出口
１０４  第二吹出口
１０５  ハウジング
１０６  送風機
１０７  集塵フィルタ
１０８  脱臭フィルタ
１０９  通風路
１１０  風向制御装置
１１１  ケーシング
１１２  風向制御体
【図１】
2017062092.tif 000003
【図２】
2017062092.tif 000004
【図３】
2017062092.tif 000005
【図４】
2017062092.tif 000006
【図５】
2017062092.tif 000007
【図６】
2017062092.tif 000008
【図７】
2017062092.tif 000009
【図８】
2017062092.tif 000010
【図９】
2017062092.tif 000011
【図１０】
2017062092.tif 000012